(57)【要約】【課題】調光および調色を自由に切り換えできるとともに被照射面の明るさを高精度に一定に保つことができる照明器具を提供する。【解決手段】照明器具１０は、光色の異なる複数の光源１１，１２と、光源１１，１２を光色毎に調光することにより調光および調色させる調光点灯回路１５と、光源１１，１２からの被照射面への明るさを検出する明るさセンサ１８と、明るさセンサ１８からの信号により被照射面の明るさが一定となるように自動で調光制御する自動調光制御回路１９とを備え、各光色の光源１１，１２を独立に調光することにより調光および調色を行う調光・調色モードと、各光色の調光比の比率を固定して調色比を保ったまま被照射面の明るさを一定に保つ自動調光モードとを設定する。【選択図】図１
2012089282.tif 000002
【特許請求の範囲】
【請求項１】
光色の異なる複数の光源と、
前記光源を光色毎に調光することにより調光および調色させる調光点灯回路と、
前記光源からの被照射面への明るさを検出する明るさセンサと、
前記明るさセンサからの信号により前記被照射面の明るさが一定となるように自動で調光制御する自動調光制御回路とを備え、
前記各光色の前記光源を独立に調光することにより調光および調色を行う調光・調色モードと、
前記各光色の調光比の比率を固定して調色比を保ったまま前記被照射面の明るさを一定に保つ自動調光モードとを有する照明器具。
【請求項２】
請求項１に記載の照明器具において、
前記調光・調色モードと前記自動調光モードとをリモートコントローラーにより選択できる照明器具。
【請求項３】
請求項１または請求項２に記載の照明器具において、
前記自動調光時の照度目標値を設定するための反射率測定機能を有し、反射率測定時の調光比で自動調光する照明器具。
【発明の詳細な説明】
【技術分野】
【０００１】
本発明は、照明からの人工光と窓から入り込む外光等の自然光との照度を検出して室内の明るさを自動的に制御する照明器具に関する。
【背景技術】
【０００２】
従来より、明るさセンサを搭載し、窓から入り込む外光等を利用して室内の照度を一定に保つように調光する照明器具が知られている（例えば、特許文献１参照）。
特許文献１に記載された従来の照明器具は、点灯装置が光源を点灯させ、照度検出部が光源による被照射面の照度を検出し、制御部が、照度検出部による照度検出値に基づいて光源の光出力を制御し、被照射面の照度を所定値に設定するための照度目標値に合わせて、照度検出値が一定になるように明るさを制御する照度一定制御機能を有する。そして、特許文献１に記載された従来の照明器具は、制御部が、標準的な被照射面の状態で調光レベルを変化させた各調光レベルに対応する照度基準値である基準カーブと、実際の被照射面の反射率に基づいて算出した補正係数とを用いて、照度一定制御時の照度目標値を算出設定し、補正係数として、光源の光出力が安定した状態での光源出力または被照射面の照度検出値に基づき算出した値を用いる。
【先行技術文献】
【特許文献】
【０００３】
【特許文献１】特開２０１０−４９８３４号公報（図２、請求項１）
【発明の概要】
【発明が解決しようとする課題】
【０００４】
前述した特許文献１に記載された照明器具は、照度一定制御においてランプ出力が出過ぎることを防止でき、省エネルギー化を図ることができる。
ところで、前述した特許文献１に記載された照明器具と同様に、光源としてＬＥＤのような高効率で小型のものを採用し、ＬＥＤを複数個並べて点灯させる高効率の照明器具が提案されている。
このような従来の照明器具は、光色の異なるＬＥＤを用いて、調光しながら光色の異なるＬＥＤを切り替えて発光させることにより調色と調光とを自在に制御できる。
しかし、従来の照明器具において、調光機能と明るさセンサとを組み合わせて調光しながら室内照度を一定に保つ制御を行うと正しく制御できない。
これは、従来の照明器具において、照度検出部の照度センサの分光感度が光色の違いにより異なることが原因である。特に、ＬＥＤのような特定の波長に鋭いピークを有する光源と組み合わせた場合の課題となる。
【０００５】
図４に示すように、従来の照明器具において、照度センサの分光感度と光色の異なるＬＥＤの分光感度は、電球色光源のＬＥＤが６２０ｎｍ付近にピークを有する発光が主であるのに対し、昼光色光源のＬＥＤでは、４６０ｎｍ付近と５６０ｎｍ付近とにピークを有する２つの発光が主となる。これらに対して、照度センサは、３８０〜６３０ｎｍ付近の発光を検出するために、例えば同じ明るさで発光している昼光色のＬＥＤと電球色のＬＥＤとを検出したとしても、昼光色のＬＥＤの方が電球色のＬＥＤよりも検出値が大きくなってしまう。
従って、従来の照明器具は、照度一定制御を行って調色を行うと、照度センサの照度検出値が変化して一定制御できない。
調色比率を一定に保ったまま調光すると、絶対的な照度は変化するが、分光感度特性は変化しないために、調光比とセンサ感度とは比例する。
【０００６】
本発明は、前述した課題を解決するためになされたものであり、その目的は、調光および調色を自由に切り換えできるとともに被照射面の明るさを高精度に一定に保つことができる照明器具を提供することにある。
【課題を解決するための手段】
【０００７】
本発明に係る照明器具は、光色の異なる複数の光源と、前記光源を光色毎に調光することにより調光および調色させる調光点灯回路と、前記光源からの被照射面への明るさを検出する明るさセンサと、前記明るさセンサからの信号により前記被照射面の明るさが一定となるように自動で調光制御する自動調光制御回路とを備え、前記各光色の前記光源を独立に調光することにより調光および調色を行う調光・調色モードと、前記各光色の調光比の比率を固定して調色比を保ったまま前記被照射面の明るさを一定に保つ自動調光モードとを有する。
【０００８】
本発明に係る照明器具は、前記調光・調色モードと前記自動調光モードとをリモートコントローラーにより選択できる。
【０００９】
本発明に係る照明器具は、前記自動調光時の照度目標値を設定するための反射率測定機能を有し、反射率測定時の調光比で自動調光する。
【発明の効果】
【００１０】
本発明に係る照明器具によれば、調光および調色を自由に切り換えできるとともに被照射面の明るさを高精度に一定に保つことができるという効果を奏する。
【図面の簡単な説明】
【００１１】
【図１】本発明に係る一実施形態の照明器具のブロック構成図
【図２】本発明に係る一実施形態の照明器具のリモートコントローラーの平面図
【図３】本発明に係る一実施形態の照明器具の各光色の調光比と自動調光での調光度合いとの関係図
【図４】従来の照明器具における照度センサの分光感度と光色の異なるＬＥＤ光源の分光感度の関係図
【発明を実施するための形態】
【００１２】
以下、本発明に係る一実施形態の照明器具について図面を参照して説明する。
図１に示すように、本発明に係る一実施形態の照明器具１０は、少なくとも２つ以上の異なる光色を有する昼白色の第１ＬＥＤ（光源）１１および電球色の第２ＬＥＤ（光源）１２と、第１ＬＥＤ１１を点灯，消灯，調光させる第１点灯回路（点灯回路）１３と、第２ＬＥＤ１２を点灯，消灯，調光させる第２点灯回路（点灯回路）１４と、調光制御回路１５と、リモートコントローラー１６と、使用者によるリモートコントローラー１６の操作に伴い発生する信号を受信して調光制御回路１５に動作を指令する受信回路１７と、明るさセンサ１８と、明るさセンサ１８の信号を受けて明るさを一定制御するように調光信号を生成する自動調光制御回路１９とを備える。
【００１３】
図２に示すように、リモートコントローラー１６は、ケース２０の上面に、押下されることにより昼白色の第１ＬＥＤ１１および電球色の第２ＬＥＤ１２の調光比の比率を固定して調色比を保ったまま被照射面の明るさを一定に保つ自動調光モードを設定する自動調光ボタン２１を備える。リモートコントローラー１６は、ケース２０の上面に、押下されることにより昼白色の第１ＬＥＤ１１および電球色の第２ＬＥＤ１２を独立に調光して調光および調色を行う調光・調色モードを設定する調光・調色ボタン２２を備える。リモートコントローラー１６は、ケース２０の上面に、押下されることにより自動調光時の照度目標値を設定するための反射率測定機能が起動されて反射率測定時の調光比で自動調光する反射率補正ボタン２３を備える。
【００１４】
リモートコントローラー１６は、ケース２０の上面に、昼白色の第１ＬＥＤ１１を設定する第１光源ボタン２４と、電球色の第２ＬＥＤ１２を設定する第２光源ボタン２５と、第１光源ボタン２４または第２光源ボタン２５が押下された際に明るさを増加させる明ボタン２６と、第１光源ボタン２４または第２光源ボタン２５が押下された際に明るさを減少させる暗ボタン２７とをさらに備える。
従って、使用者がリモートコントローラー１６を手元で操作することにより、調光・調色モードと自動調光モードとを簡単に選択できる。
【００１５】
次に、照明器具１０の動作について説明する。
自動調光をする前に、外光のない状態で、リモートコントローラー１６の反射率補正ボタン２３が押下されると、反射率補正ボタン２３の押された時点での調色比率、つまり、昼白色の第１ＬＥＤ１１と電球色の第２ＬＥＤ１２の調光比の比率が受信回路１７を通じて調光制御回路１５に伝送されて記憶される。
同時に、この調色比率が保たれたまま、最大光出力での点灯を行い、その時のセンサ電圧が調光制御回路１５に記憶される。具体的には、昼白色の第１ＬＥＤ１１と電球色の第２ＬＥＤ１２のうちの調色比率の高い方を１００％で点灯させ、昼白色の第１ＬＥＤ１１と電球色の第２ＬＥＤ１２のうちの調色比率の低い方を調光比の比率を保ったまま調光点灯させる。
例えば、昼白色の第１ＬＥＤ１１が８０％で点灯されていて、電球色の第２ＬＥＤ１２が４０％で点灯されていたとすると、調光比は以下の式で表される。
【００１６】
【数１】
2012089282.tif 000003
【００１７】
この状態で反射率補正ボタン２３が押下されると、調光比率の高い昼白色の第１ＬＥＤ１１が１００％で点灯され、電球色の第２ＬＥＤ１２が調光比率０．５を保って５０％で点灯されて、この状態で明るさセンサ１８の計測値が自動調光制御回路１９に記憶される。
従って、反射率補正ボタン２３の押下により起動される反射率測定機能により、自動調光時の光色を、照明器具１０が設置された空間の反射率を測定して照度目標値の補正係数として記憶させる時の調光比率とし、その調光比率により自動調光されることにより使用者の好みの調色で自動調光できる。
【００１８】
図３に示すように、以後、リモートコントローラー１６の自動調光ボタン２１が押下されることにより自動調光モードが設定されると、調色比率０．５を保ったまま、昼白色の第１ＬＥＤ１１および電球色の第２ＬＥＤ１２が連続調光されながら、センサ電圧が一定になるように明るさが制御される。
従って、自動調光モードが選択されることにより、昼白色と電球色の各光色の調光比の比率が固定されて調色比が保たれたまま被照射面の明るさを高精度に一定に保つことができる。
【００１９】
このとき、調光・調色ボタン２２が押下されると、自動調光制御が解除されて調光・調色モードが設定される。そして、第１光源ボタン２４と、第２光源ボタン２５と、明ボタン２６と、暗ボタン２７とが使用者により押下されることにより、使用者の意思に応じた調光制御および調色制御が行われる。
従って、調光・調色モードが選択されることにより、昼白色の第１ＬＥＤ１１および電球色の第２ＬＥＤ１２が独立に調光されるために、調光および調色を自由に切り換えできる。
【００２０】
照明器具１０は、自動調光時の調色比率を、反射率補正時の設定に固定して、以降、自動調光したが、自動調光時に昼白色の第１ＬＥＤ１１および電球色の第２ＬＥＤ１２を全て同一の調光比で点灯させることもできる。この場合、外光がない夜間等には、昼白色の第１ＬＥＤ１１および電球色の第２ＬＥＤ１２が１００％で点灯されるために、最も明るい条件で点灯させることができる。
【００２１】
以上、説明したように一実施形態の照明器具１０によれば、自動調光モードが選択された際に、昼白色と電球色の各光色の調光比の比率が固定されて調色比が保たれたまま被照射面の明るさを高精度に一定に保つことができる。また、一実施形態の照明器具１０によれば、調光・調色モードが選択された際に、昼白色の第１ＬＥＤ１１および電球色の第２ＬＥＤ１２が独立に調光されるために、調光および調色を自由に切り換えできる。
【００２２】
また、一実施形態の照明器具１０によれば、使用者がリモートコントローラー１６を手元で操作することにより、調光・調色モードと自動調光モードとを簡単に選択できる。
【００２３】
そして、一実施形態の照明器具１０によれば、反射率補正ボタン２３の押下により起動される反射率測定機能により、自動調光時の光色を、照明器具１０が設置された空間の反射率を測定して照度目標値の補正係数として記憶させる時の調光比率とし、その調光比率により自動調光されることにより使用者の好みの調色で自動調光できる。
【００２４】
なお、本発明の照明器具において第１点灯回路，第２点灯回路，受信回路，明るさセンサ等は、前述した一実施形態に限定されるものでなく、適宜な変形や改良等が可能である。
【符号の説明】
【００２５】
１０  照明器具
１１  第１ＬＥＤ（光源）
１２  第２ＬＥＤ（光源）
１５  調光制御回路（調光点灯回路）
１６  リモートコントローラー
１８  明るさセンサ
１９  自動調光制御回路
【図１】
2012089282.tif 000004
【図２】
2012089282.tif 000005
【図３】
2012089282.tif 000006
【図４】
2012089282.tif 000007